(57)【特許請求の範囲】
【請求項１】
表示ユニットに表示された画像をスクリーンに表示させる表示装置の位置調整機構であって、
複数の表示ユニットが取り付けられたフレームの側面に設けられ、前記フレームの水平方向の位置を調整する水平位置調整部と、
前記フレームの奥行方向の位置を調整する奥行調整部と、
前記フレームを移動可能に支持する少なくとも２個のボールベアリングを水平方向に配置した第１の取り付け部材と、前記第１の取り付け部材の前記２個のボールベアリングの取り付け位置の略中央の位置に回転可能に取り付けられ、前記フレームの垂直方向の位置を調整するための連結部材と、前記連結部材により前記フレームの垂直方向の位置が調整されたとき、前記連結部材を介して加わる前記フレームの荷重を支える、筐体に固定された第２の取り付け部材とからなる垂直位置調整部とを備えることを特徴とする表示装置の位置調整機構。
【請求項２】
前記第１の取り付け部材の前記２個のボールベアリングの取り付け位置の略中央の位置で前記２個のボールベアリングに加わる荷重を支え、前記フレームから衝撃が加わったときに、前記第１の取り付け部材が前記略中央の位置を支点にしてたわんで衝撃を吸収する構造を有する請求項１記載の表示装置の位置調整機構。
【請求項３】
前記連結部材はボルトとナットからなり、前記第２の取り付け部材は前記ボルトの径より大きい貫通孔を有し、位置調整時に、前記ボルトが傾斜して前記２個のボールベアリングが前記フレームの下面に平行に接触するようにした請求項１または２記載の表示装置の位置調整機構。
【発明の詳細な説明】
【０００１】
【発明の属する技術分野】
本発明は、表示装置の位置調整機構に関する。
【０００２】
【従来の技術】
複数のＬＣＤユニットをマトリックス状に配列し、そのＬＣＤユニットの前方にスクリーンを配置して、ＬＣＤユニットに表示された画像をスクリーンに投影して表示させる表示装置が知られている。
【０００３】
この種の表示装置では、複数のＬＣＤユニットがフレームに取り付けられ、そのフレームがさらに装置の筐体に固定されると共に、スクリーンが筐体に固定される構造になっている。スクリーンやフレームを筐体へ固定する場合、それぞれ製造誤差、組み立て誤差等が生じるので、その結果としてスクリーンに正常に画像が表示されないという問題があった。
【０００４】
そのため、従来はスクリーンの取り付け位置を上下、左右方向に調整できるような構造にしていた。
【０００５】
【発明が解決しようとする課題】
しかしながら、スクリーンはフィルム状で破損しやすいので、スクリーンを破損しないように取り付け位置を調整することは難しかった。
【０００６】
本発明の課題は、表示ユニットの位置を簡単に調整できるようにすることである。
【０００７】
【課題を解決するための手段】
本発明は、表示ユニットに表示された画像をスクリーンに表示させる表示装置の位置調整機構であって、複数の表示ユニットが取り付けられたフレームの側面に設けられ、前記フレームの水平方向の位置を調整する水平位置調整部と、前記フレームの奥行方向の位置を調整する奥行調整部と、前記フレームを移動可能に支持する少なくとも２個のボールベアリングを水平方向に配置した第１の取り付け部材と、前記第１の取り付け部材の前記２個のボールベアリングの取り付け位置の略中央の位置に回転可能に取り付けられ、前記フレームの垂直方向の位置を調整するための連結部材と、前記連結部材により前記フレームの垂直方向の位置が調整されたとき、前記連結部材を介して加わる前記フレームの荷重を支える、筐体に固定された第２の取り付け部材とからなる垂直位置調整部とを備えることを特徴とする表示装置の位置調整機構。
【０００８】
この発明によれば、フレームの水平方向、あるいは奥行方向の位置を調整するときに、フレームを移動させるときの摩擦力が小さくなるので調整が容易になる。
【０００９】
請求項２記載の発明は、前記第１の取り付け部材の前記２個のボールベアリングの取り付け位置の略中央の位置で前記２個のボールベアリングに加わる荷重を支え、前記フレームから衝撃が加わったときに、前記第１の取り付け部材が前記略中央の位置を支点にしてたわんで衝撃を吸収する構造を有する。
【００１０】
このように構成することで、例えば、表示装置を移動したことにより、表示ユニットの重量が衝撃力として２個のボールベアリングに加わった場合でも、第１の取り付け部材のほぼ中央を支点としてその両端部に荷重が加わることになるので、第１の取り付け部材がたわむことで衝撃が吸収され、表示ユニットに衝撃が直接加わるのを防止できる。また、２個のボールベアリングの垂直方向の位置を１個のネジ等の連結部材で調整できるので調整箇所が少なくすむ。
【００１１】
上記の発明において、前記連結部材はボルトとナットからなり、前記第２の取り付け部材は前記ボルトの径より大きい貫通孔を有し、位置調整時に、前記ボルトが傾斜して前記２個のボールベアリングが前記フレームの下面に平行に接触するようにした。
【００１４】
上記の発明において、水平位置調整部は、フレームまたは筐体の上部及び下部に取り付けられたネジと、筐体またはフレームの他方に設けられるネジ穴を有する取り付け部材とからなり、ネジを取り付け部材のネジ穴に挿入し、ネジを回転させて水平方向の位置を調整するように構成しても良い。
【００１５】
このように構成することで、スクリーンの正面、あるいはフレームの側面または裏側からネジを回転させることでフレームの水平方向の位置を調整することができる。
【００１６】
【発明の実施の形態】
以下、本発明の実施の形態を図面を参照しながら説明する。図１（Ａ）、（Ｂ）は、本発明の実施の形態の表示装置１１の位置調整機構の説明図である。
【００１７】
図１（Ａ）に示すように表示装置１１は、複数の液晶表示ユニット１２が取り付けられるフレーム１３と、液晶表示ユニット１２の前方に固定されるスクリーン１４と、フレーム１３及びスクリーン１４が固定される筐体１５とから構成されている。液晶表示ユニット１２には、液晶画面に表示される画像をスクリーン１４に表示させるためのレンズが組み込まれている。
【００１８】
この表示装置１１には、フレーム１３の垂直方向の位置を調整する垂直位置調整部１６がフレームの下面の左右に設けられている。また、フレーム１３の水平方向の位置を調整する水平位置調整部１７がフレーム１３の上面及び下面の中央部にそれぞれ１個設けられている。さらに、フレーム１３の奥行き方向の位置を調整する奥行き調整部１８が、フレーム１３の上面及び下面の四隅に設けられている。
【００１９】
垂直位置調整部１６は、液晶表示ユニット１２の重量を支えるボールベアリングが固定された取り付け部材２０と、筐体１５側のネジ穴に挿入されたボルト（連結部材）１９とからなる。筐体１５側のボルト１９を時計方向または反時計方向に回転させることで、取り付け部材２０を上下に移動させてフレーム１３の上下方向の位置を調整することができる。
【００２０】
水平位置調整部１７は、フレーム１３側の穴に挿入されたボルト２１と筐体１５側のネジ穴の設けられた取り付け板２２とからなる。ボルト２１を時計方向または反時計方向に回転させることで、フレーム１３を水平方向に移動させてフレーム１３の左右方向の位置を調整することができる。なお、図１には示していないが、ボルト２１を緩めたときに、ボルト２１と一緒にフレーム１３が右方向に移動するようにボルト２１にはナット等が挿入されている。
【００２１】
奥行き調整部１８は、フレーム１３の四隅に設けられ、フレーム１３側に取り付けられたボルト２３と、筐体１５側のネジ穴の設けられた取り付け板２４とからなる。ボルト２３を時計方向または反時計方向に回転させることで、フレーム１３を、図１（Ａ）の正面から見て奥の方向または手前の方向に移動させて前後方向の位置を調整することができる。
【００２２】
次に、図２は、第２の実施の形態の表示装置の正面図、図３はその上面図である。
図２において、表示装置３１は、スクリーン（図示せず）と、１２個の液晶表示ユニット３２と、その１２個の液晶表示ユニット３２が取り付けられるフレーム３３と、フレーム３３及びスクリーンが取り付けられる筐体３４と、フレームの上下、左右、奥行き方向の位置を調整する位置調整機構を有する。
【００２３】
位置調整機構は、フレーム３３を水平方向の位置を調整する水平位置調整部３５と、垂直方向の位置を調整する垂直位置調整部３６と、奥行き方向の位置を調整する奥行き調整部３７とからなる。
【００２４】
図２の正面図及び図３の上面図に示すように、フレーム３３の上下面の中央部には水平位置調整部３５が設けられている。水平位置調整部３５は、フレーム３３側の取り付け板４３の穴に挿入されたボルト４４と、筐体３４側の取り付け板に溶接等により固定されたナット４９とからなる。
【００２５】
次に図４は、表示装置３１を図２のＡ−Ａ方向から見たときの断面図であり、図５は、図３の上面図の水平位置調整部３５の拡大図である。
図４に示すようにフレーム３３には溶接等によりＬ字型の取り付け板４３が固定されており、その取り付け板４３の穴にボルト４４が挿入されている。ボルト４４は、筐体３４側の取り付け板４１に溶接等により固定されているナットに挿入されており、ボルト４４を締め付け、あるいは緩めることで、フレーム３３を図２の水平方向に移動させることができる。
【００２６】
図５の拡大図に示すように、水平位置調整部３５は、フレーム３３に溶接等により固定された取り付け板４３と、筐体３４に溶接等により固定された取り付け板４１と、ボルト４４と、ナット４７，４８，４２，４９等から構成されている。
【００２７】
フレーム３３の取り付け板４３には穴が設けられ、その穴に座金４５を挟んでボルト４４が挿入されている。そして、取り付け板４３を挟んでそのボルト４４に座金４６とナット４７，４８が挿入されている。ナット４７，４８は互いに締め付けられて固定されており、ボルト４４が取り付け板４３の穴から抜けないようになっている。
【００２８】
フレーム３３を筐体３４に取り付けるときには、最初にボルト４４を座金４５を挟んでフレーム３３の取り付け板４３の穴に挿入し、次に、２個のナット４７，４８と座金４６を取り付け板４３を挟んでボルト４４に挿入する。そして、ナット４７の端面と取り付け板４３との間に僅かな隙間が空くように２個のナット４７，４８を互いに締め付けて固定する。次に、ボルト４４を筐体３４の取り付け板４１の右側（図５の正面から見て）に溶接されているナット４２に挿入し、さらに、取り付け板４１の左側に、ボルト４４を固定するためのナット４９を挿入する。ボルト４４によりフレーム３３の水平方向の位置を調整した後、このナット４９を締め付けることで、その位置にフレーム３３を固定することができる。
【００２９】
次に、図６は、表示装置３１を図２のＢ−Ｂ方向から見たときの断面図であり、図７は、図２の正面図の垂直位置調整部３６の拡大図である
図６に示すように、筐体３４側にはボルト６３が取り付けられ、そのボルト６３が取り付け部材６２のナットに挿入されている。取り付け部材６２には、フレーム３３の重量を支えるボールベアリング６１が取り付けられている。
【００３０】
従って、ボルト６３を締め付け、あるいは緩めることで、フレーム３３の上下方向の位置を調整することができる。
図７に示すように、垂直位置調整部３６は、２個のボールベアリング（支持部材）６１と、その２個のボールベアリング６１が固定される取り付け部材６２と、ボルト６３が取り付けられる筐体３４側の取り付け板６４等からなる。
【００３１】
筐体３４側の取り付け板６４の中央部には穴があけられ、その穴に座金６５を挟んでボルト６３が挿入されている。そして、取り付け板６４を挟んでボルト６３に座金６６，ナット６７，６８が挿入されている。
【００３２】
取り付け部材６２には、ナット６９が溶接、その他の方法で固定されており、中央部には、ボルト６３を固定するときにナット７０を締め付け、あるいは緩めることができるように作業用の穴７１があけられている。
【００３３】
垂直位置調整部３６を組み立てるときには、ボルト６３を座金６５を挟んで取り付け部材６４の穴に挿入した後、ボルト６３に座金６６と２個のナット６７，６８を挿入し、ナット６７の下面と取り付け板６４の上面との間に座金６６の板厚を含めて僅かに隙間ができるようにナット６７，６８の位置を調整してナット６７，６８を互いに締め付ける。そして、そのナット６７、６８の挿入されたボルト６３を取り付け部材６２に溶接等により固定されたナット６９に挿入する。これによりボールベアリング６１が固定された取り付け部材６２は、ボルト６３により筐体３４に取り付けられる。取り付け板６４の穴はボルト６３の径に対して大きくなっているので、ボルト６３と連結された２個のボールベアリング６１は左右に振り子状に動くことができ、フレーム３３の下面に平行に接触させることができる。
【００３４】
フレーム３３の垂直方向の位置を調整する場合には、ボルト６３を時計方向、あるいは反時計方向に回転させる。これにより、ボルト６３と連結されている取り付け部材６２が下方向、あるいは上方向に移動しフレーム３３が上下に移動する。フレーム３３の位置を調整した後、穴７１に工具を入れてナット７０を締め付ける。これにより、ナット７０とナット６９が互いに締め付けられるので、取り付け部材６２がその位置で固定される。
【００３５】
なお、本実施の形態では、取り付け部材６２の中央部で２個のボールベアリング６１に加わる荷重を支えるような構造にしてあるので、例えば、表示装置を移動させる際に、表示ユニット３２の重量が衝撃力として垂直位置調整部３６に加わった場合でも、取り付け部材６２が中央部を支点にしてたわむことで衝撃を吸収することができる。
【００３６】
また、２個のボールベアリング６１を使用することでボールベアリング６１の１個当たりの最大荷重を小さくできる。さらに、２個のボールベアリング６１に対して調整用のボルト６３が１個で良いので調整箇所が少なくなり、調整機構の装置に占めるスペースも少なくて良い。
【００３７】
次に、図８は、図２の正面図のＣ−Ｃ方向から見た断面図であり、図９は、図３の上面図の奥行き調整部の拡大図である。
図２及び図８に示すようにフレーム３３の上面及び底面の四隅には、取り付け板８１が溶接等により固定されている。また、筐体３４のＵ字型の取り付け板３４ａには穴があけられ、その穴にナット８３が溶接等により固定されている。
【００３８】
取り付け板８１の穴にボルト８２を挿入し、さらに取り付け板３４ａに固定されたナット８３に挿入し、ボルト８２を時計方向または反時計方向に回転させることでフレーム３３の奥行き方向の位置を調整する。
【００３９】
図９の拡大図に示すように、フレーム３３に溶接等により固定された取り付け板８１の穴に座金８４を挟んでボルト８２が挿入され、取り付け板８１を挟んでボルト８２に座金８５と、ナット８６，８７が挿入されている。ナット８６，８７は、ボルト８２が取り付け板８１の穴から抜けないようにするためのものであり、ナット８６，８７を互いに締め付けることでナット８６，８７を固定している。
【００４０】
筐体３４側の取り付け板３４ａには穴が設けられ、その穴の位置にナット８３が溶接等により固定されている。
フレーム３３を筐体３４に取り付けるときには、最初にボルト８２を座金８４を挟んでフレーム３３の取り付け板８１の穴に挿入し、次に、反対側から２個のナット８６，８７と座金８５をボルト８２に挿入する。そして、座金８５の端面と取り付け板８１との間に僅かな隙間が空くように２個のナット８６，８７を互いに締め付ける。
【００４１】
次に、ボルト８２を筐体３４の取り付け板３４ａに固定されているナット８３に挿入し、そのナット８３の隣にナット８８を挿入する。
奥行き方向の位置を調整する場合には、ボルト８２を時計方向または反時計方向に回転させる。ボルト８２が挿入されているナット８３は筐体３４側に固定されているので、ボルト８２の回転角に応じてフレーム３３が筐体３４に近づく方向（図９の上方向）、あるいは筐体３４から離れる方向（図９の下方向）に移動する。フレーム３３が適正な位置に移動したなら、ナット８８を締め付けボルト８２を固定することで、フレーム３３の位置を固定することができる。
【００４２】
上述した実施の形態によれば、水平位置調整部１７，垂直位置調整部１６及び奥行き調整部１８のネジ（ボルトも含む）等の連結部材をスクリーンの上側、横側、あるいはフレーム３３の裏側から回転させることで、フレーム３３の水平方向の位置、垂直方向の位置及び奥行き方向の位置を、スクリーンを取り外さずに簡単に調整することができる。これにより、表示ユニット３２に表示させた画像をスクリーンに歪み、画像の切れ等がない状態で表示させることができる。
【００４３】
また、奥行き調整部１８を設けたことで、液晶表示ユニット３２の焦点距離を正確に調整してより高品質の画像を表示することができる。
また、水平方向、垂直方向の位置の調整と奥行き方向の位置の調整をボルトを締め、あるいは緩めるという共通の方法で行えるので調整作業の共通化がはかれ、作業性が向上する。さらに、ボルトの回転角によりフレーム３３の移動量が正確に決まるので、フレーム３３の取り付け位置を細かく調整することができる。
【００４４】
さらに、液晶表示ユニット３２が取り付けられたフレーム３３の荷重をボールベアリング６１で受けているので、フレーム３３の水平方向、あるいは奥行き方向の位置を調整する際の摩擦力が小さくなり、スムーズに位置を調整できる。
【００４５】
上述した実施の形態は、垂直、水平、奥行きの３つの方向の位置を調整できるようにしたが、それらの内の２つの方向の調整機構のみを設けるようにしても良い。
【００４６】
また、実施の形態では、水平位置調整部３５及び奥行き調整部３７のボルト４４，８２をフレーム３３側に取り付けたが、ボルトを筐体側に取り付け、フレーム３３側にネジ穴を設けても良い。
【００４７】
また、垂直位置調整部３６をフレーム３３側に取り付け、フレーム３３側のボルトを回転させて上下方向の位置を調整するようにしても良い。
さらに、位置調整機構は実施の形態に述べたボルトとナットを用いるものに限らず、歯車等を用いた公知の移動機構を利用しても良い。
【００４８】
また、垂直位置調整部１６は、２個のボールベアリング６１の中央部をボルト６３で固定する構造に限らず、１個のボールベアリングの位置を調整する構造にしても良い。本発明は、液晶表示ユニットを用いる表示装置に限らず他の表示装置にも適用できる。
【００４９】
【発明の効果】
本発明によれば、表示ユニットとの取り付け位置をスクリーンを取り外さずに簡単に調整することができる。また、表示ユニットの奥行き方向の位置を調整することで焦点距離を正確に調整してより高品質の画像を表示することができる。
【図面の簡単な説明】
【図１】表示装置の位置調整機構の説明図である。
【図２】表示装置の正面図である。
【図３】表示装置の上面図である。
【図４】Ａ−Ａ断面図である。
【図５】水平位置調整部の拡大図である。
【図６】Ｂ−Ｂ断面図である。
【図７】垂直位置調整部の拡大図である。
【図８】Ｃ−Ｃ断面図である。
【図９】奥行き調整部の拡大図である。
【符号の説明】
３１      表示装置
３２      表示ユニット
３３      フレーム
３４      筐体
３５      水平位置調整部
３６      垂直位置調整部
３７      奥行き調整部
【図１】
0003560233.tif 000002
【図２】
0003560233.tif 000003
【図３】
0003560233.tif 000004
【図４】
0003560233.tif 000005
【図５】
0003560233.tif 000006
【図６】
0003560233.tif 000007
【図７】
0003560233.tif 000008
【図８】
0003560233.tif 000009
【図９】
0003560233.tif 000010